(57)【要約】【課題】  アルミニウム製又はアルミニウム合金製の導線と端子との電気的接続及び機械（強度）的接続を十分に確保できるアルミ電線の接続方法を提供することを目的とする。【解決手段】  アルミニウム製又はアルミニウム合金製の多数本の導線２を絶縁体３で被覆して成るアルミ電線１の一端部にて絶縁体３を剥離して露出させた導線端部２ａに端子４をかしめ加工にて接続するアルミ電線の接続方法に於て、端子４の有底孔状の挿入孔９内に溶融したハンダ11を注入し、又は、挿入孔９内でハンダ11を溶融する。次に、挿入孔９の少なくとも底部12近傍にて溶融したハンダ11に接触するように挿入孔９内に導線端部２ａを挿入する。そして、端子４をかしめ加工して導線端部２ａを圧着保持する。【選択図】  図３
2006179369.tif 000002
【特許請求の範囲】
【請求項１】
アルミニウム製又はアルミニウム合金製の多数本の導線（２）を絶縁体（３）で被覆して成るアルミ電線（１）の一端部にて該絶縁体（３）を剥離して露出させた導線端部（２ａ）に端子（４）をかしめ加工にて接続するアルミ電線の接続方法に於て、
上記端子（４）の有底孔状の挿入孔（９）内に溶融したハンダ（11）を注入し、又は、該挿入孔（９）内でハンダ（11）を溶融し、次に、挿入孔（９）の少なくとも底部（12）近傍にて上記溶融したハンダ（11）に接触するように挿入孔（９）内に上記導線端部（２ａ）を挿入し、上記端子（４）をかしめ加工して導線端部（２ａ）を圧着保持することを特徴とするアルミ電線の接続方法。
【請求項２】
上記端子（４）のかしめ加工する位置を、上記端子（４）の上記挿入孔（９）の開口部（14）近傍とした請求項１記載のアルミ電線の接続方法。
【請求項３】
上記端子（４）がアルミニウム合金製である請求項１又は２記載のアルミ電線の接続方法。
【請求項４】
上記アルミ電線（１）が自動車のバッテリーケーブルに使用されている請求項１，２又は３記載のアルミ電線の接続方法。
【請求項５】
アルミニウム製又はアルミニウム合金製の多数本の導線（２）を絶縁体（３）で被覆して成るアルミ電線（１）の一端部を剥離して露出させた導線端部（２ａ）と、端子（４）とを、接続するアルミ電線の接続構造に於て、
上記端子（４）と上記導線端部（２ａ）が該導線端部（２ａ）の少なくとも先端（Ｚ）近傍にてハンダ付けされて導通接続されていると共に、該導線端部（２ａ）の先端（Ｚ）近傍より基端側に上記端子（４）をかしめ加工して接続されていることを特徴とするアルミ電線の接続構造。
【請求項６】
アルミニウム製又はアルミニウム合金製の多数本の導線（２）を絶縁体（３）で被覆して成るアルミ電線（１）の一端部を剥離して露出させた導線端部（２ａ）と、端子（４）とを、接続するアルミ電線の接続構造に於て、
上記端子（４）は有底孔状の挿入孔（９）を有し、該挿入孔（９）内に上記導線端部（２ａ）が挿入され、上記端子（４）と上記導線端部（２ａ）は、上記挿入孔（９）の少なくとも底部（12）近傍にてハンダ（11）を介して導通接続されていると共に、上記挿入孔（９）の底部（12）近傍より開口部（14）側にて上記端子（４）をその外面からかしめ加工して接続されていることを特徴とするアルミ電線の接続構造。
【発明の詳細な説明】
【技術分野】
【０００１】
本発明は、アルミ電線の端子接続方法及びアルミ電線の端子接続構造に関する。
【背景技術】
【０００２】
従来、主に自動車等に使用されるバッテリーケーブルの導線（導体）には、低電圧用途を目的として銅や銅合金が使用されていたが、車体の軽量化のため導線を銅製等からアルミニウム製又はアルミニウム合金製に変更したアルミ電線を使用する割合が多くなってきている。
しかし、従来の銅製等の導線は、端子をかしめる（コーキング）だけで十分に導通（導電）可能であったが、アルミニウム製又はアルミニウム合金製の導線では、表面に酸化皮膜が形成されるので導線と端子間の接触抵抗の増大により導通し難い（電気的接続を確保し難い）という欠点があった。特に、アルミ電線をバッテリーケーブルのように温度が上がる環境下で使用する場合は、酸化皮膜の形成が促進されて、酸化皮膜が厚くなって一層導通が困難になるという問題が生じていた。
【０００３】
そして、上記問題を解決するために、従来のアルミ電線の接続方法（接続構造）は、導通性（電気的接続）を確保するために、導線と端子との間に延展性に富んだ金属を介在させかしめ加工して接続し、導線と端子の接触面積を増大させて接触抵抗を低下させていた（特許文献１，２参照）。
【特許文献１】特開２０００−２９９１４０号公報
【特許文献２】特開平８−３２１３３０号公報
【発明の開示】
【発明が解決しようとする課題】
【０００４】
しかし、従来の接続方法（接続構造）では、介在させた金属の厚みにより、端子をかしめ加工して導線を安定して圧着保持すること（機械的強度を確保すること）ができず、また、安定して圧着保持するために強くかしめると介在させた金属が割れたりする虞があった。
【０００５】
そこで、本発明は、アルミニウム製又はアルミニウム合金製の導線と端子との電気的接続及び機械（強度）的接続を十分に確保できるアルミ電線の接続方法とアルミ電線の接続構造を提供することを目的とする。
【課題を解決するための手段】
【０００６】
上記目的を達成するために、本発明に係るアルミ電線の接続方法は、アルミニウム製又はアルミニウム合金製の多数本の導線を絶縁体で被覆して成るアルミ電線の一端部にて該絶縁体を剥離して露出させた導線端部に端子をかしめ加工にて接続するアルミ電線の接続方法に於て、上記端子の有底孔状の挿入孔内に溶融したハンダを注入し、又は、該挿入孔内でハンダを溶融し、次に、挿入孔の少なくとも底部近傍にて上記溶融したハンダに接触するように挿入孔内に上記導線端部を挿入し、上記端子をかしめ加工して導線端部を圧着保持する。
【０００７】
また、上記端子のかしめ加工する位置を、上記端子の上記挿入孔の開口部近傍とした。  また、上記端子がアルミニウム合金製である。
また、上記アルミ電線が自動車のバッテリーケーブルに使用されている。
【０００８】
また、本発明に係るアルミ電線の接続構造は、アルミニウム製又はアルミニウム合金製の多数本の導線を絶縁体で被覆して成るアルミ電線の一端部を剥離して露出させた導線端部と、端子とを、接続するアルミ電線の接続構造に於て、上記端子と上記導線端部が該導線端部の少なくとも先端近傍にてハンダ付けされて導通接続されていると共に、該導線端部の先端近傍より基端側に上記端子をかしめ加工して接続されているものである。
【０００９】
また、アルミニウム製又はアルミニウム合金製の多数本の導線を絶縁体で被覆して成るアルミ電線の一端部を剥離して露出させた導線端部と、端子とを、接続するアルミ電線の接続構造に於て、上記端子は有底孔状の挿入孔を有し、該挿入孔内に上記導線端部が挿入され、上記端子と上記導線端部は、上記挿入孔の少なくとも底部近傍にてハンダを介して導通接続されていると共に、上記挿入孔の底部近傍より開口部側にて上記端子をその外面からかしめ加工して接続されているものである。
【発明の効果】
【００１０】
本発明は、次のような著大な効果を奏する。
本発明に係るアルミ電線の接続方法及びアルミ電線の接続構造によれば、端子と導線端部の電気的接続と機械（強度）的接続を十分に確保できる。
言い換えれば、端子と導線端部は、かしめ加工とハンダ付けを併用して接続されるので、接続強度を向上させると共に導通性を長期間維持できる。
また、特に、端子と導線端部を、端子をかしめ加工する位置にて機械的に強固に接続でき、ハンダ付けする位置にて導線端部の酸化皮膜の形成を防止して（接触抵抗を低減して）十分に導通性を確保して接続できる。
【発明を実施するための最良の形態】
【００１１】
以下、実施の形態を示す図面に基づき本発明を詳説する。
まず、アルミ電線の接続構造について説明すると、図１〜図６に示す第１の実施の形態に於て、自動車のバッテリーケーブルに使用されるアルミ電線１は、アルミニウム製又はアルミニウム合金製の多数本の導線２（撚線）を絶縁体３で被覆して成るものである。アルミ電線１の一端部は、絶縁体３が剥離され、導線端部２ａが露出している。また、４は端子である。
【００１２】
図３に示すように、端子４と露出した導線端部２ａは、導線端部２ａの少なくとも先端Ｚ近傍にてハンダ付けされて導通接続され、導線端部２ａの先端Ｚ近傍より基端側に端子４をかしめ加工して接続されている。
具体的には、端子４は、図外の電気機器の端子等に接続される端子本体部７と、端子本体部７の基端部に一体状に連設されるスリーブ部８とを有している。さらに、スリーブ部８には、有底孔状の挿入孔９が形成されている。その挿入孔９は、スリーブ部８の内周面部13と、端子本体部７の基端側に配置された底部12と、底部12と反対側に配置された開口部14と、から形成されている。また、端子本体部７は、自動車のバッテリーの端子を挿入して接続するための孔部10を有している。
【００１３】
また、挿入孔９に導線端部２ａが挿入され、さらに、内周面部13及び底部12と、導線端部２ａとの間には、ハンダ11が介在している。即ち、導線端部２ａの一部（先端Ｚから中間までの部分）は、ハンダ11内に埋設され、内周面部13と底部12には当接していない。
図６の矢印Ｐ方向に、スリーブ部８の開口部14付近では、スリーブ部８の外面からプレス機等によりリング状に縮径塑性加工されている（かしめ加工されている）。その縮径塑性加工されたスリーブ部８の外面には、かしめ凹部15が形成され、かしめ凹部15に対応するスリーブ部８の内周面部13には、かしめ凸部16が形成されている。
【００１４】
また、挿入孔９の底部12及び内周面部13のほぼ全面と、導線端部２ａの挿入孔９内に挿入されている外面部のほぼ全面が、ハンダ11を介して固着されている。さらに、挿入孔９の開口部14近傍（導線端部２ａの中間）では、かしめ凸部16がハンダ11を介して導線端部２ａに圧着することで、端子４と導線端部２ａは接続されている。言い換えれば、端子４と導線端部２ａは、端子４をかしめ加工した圧着部５と、かしめ加工せずハンダ付けして固着した導通接続部６にて、接続されている。また、圧着部５は導線端部２ａの基端寄りに配置され、導通接続部６は導線端部２ａの先端Ｚ寄りに配置されている。なお、圧着部５での接続構造は、図６の具体例では、主に端子４や導線端部２ａ（アルミ電線１）にかかる引張力や衝撃から端子４と導線端部２ａとが分離するのを防止するための機械（強度）的接続を目的とするものであるが、端子４と導線端部２ａはハンダ11を介して電気的接続（導通接続）もされている。また、導通接続部６での接続は、主に電気的接続を目的とするものである。
【００１５】
また、導線２がアルミニウム合金製の場合は、耐熱性を有する点でＡｌ− 0.01 ｗｔ％〜 0.2ｗｔ％Ｚｒ合金が好ましい。さらに、アルミ電線１は、酸化皮膜を形成防止及びハンダ11との密着性を高めるため、導線端部２ａの表面をハンダで覆ったりジンケート浴等による亜鉛めっき処理をすることが望ましい。
端子４は、従来から使用されている金属製のものを適用すればよく、例えば、真鍮（Ｃｕ−Ｚｎ合金）が挙げられる。また、軽量化のためにアルミニウム合金製のものが好適である。さらには、耐食性を向上させるために、前記した真鍮（Ｃｕ−Ｚｎ合金）やアルミニウム合金からなる端子表面にＳｎメッキを施したものが好ましい。
【００１６】
図７に示す第２の実施の形態に於て、端子４と露出した導線端部２ａは、導線端部２ａの先端Ｚ近傍にてハンダ付けされて導通接続され、導線端部２ａの先端Ｚ近傍より基端側に（中間で）端子４をかしめ加工して接続されている。言い換えれば、圧着部５は挿入孔９の開口部14近傍に配置され、導通接続部６は挿入孔９の底部12近傍に配置されている。
【００１７】
具体的には、端子４と導線端部２ａは、挿入孔９内の底部12近傍（導線端部２ａの先端Ｚ近傍）でハンダ11を介して固着されているが、挿入孔９の開口部14近傍（導線端部２ａの中間）では、かしめ凸部16が導線端部２ａに直接圧着することで接続されている。つまり、かしめ凸部16と導線端部２ａの間にはハンダ11を有していない。また、挿入孔９の底部12及び底部12近傍の内周面部13と、導線端部２ａの先端Ｚ近傍の外面部が、ハンダ11を介して固着されている。
また、この圧着部５は主として機械（強度）的接続のためであるが、一部には電気的接続を兼ねている。導線端部２ａのかしめ凸部16と接触する部分は酸化皮膜が形成される虞があり、圧着部５での電気的接続（導通性）を長期間確保する点で、図３に示す第１の実施形態の方が好ましい。
なお、図７於て、図３と同一の符号は図３と同様の構成であるので、説明を省略する。
【００１８】
また、本発明のアルミ電線の接続構造は設計変更自在であり、かしめ加工はリング状の縮径塑性加工する以外に、スリーブ部８に螺旋状又は部分的にかしめ凹部15（かしめ凸部16）を形成するも自由である。また、かしめ加工は１箇所に限らず、複数箇所行ってもよい。また、図示省略するが、端子４が金属板を所定形状に打ち抜いてプレス加工したものである場合は、一対のかしめ片の間に導線端部２ａを配置し、かしめ片をそれぞれ内側に曲げるようにしてかしめ加工してもよい。
また、端子４の形状は種々変更自在であり、接続される電気機器の端子形状に対応させたものとすればよく、多数本の導線２は撚線ではなく直線状のものであってもよい。
【００１９】
次に、アルミ電線の接続方法について説明すると、図４〜図６に於て、まず挿入孔９の開口部14が上方を向くように、端子４を鉛直方向縦向きに配置し、挿入孔９内に溶融したハンダ11ａを所定量注入する。あるいは、挿入孔９内でハンダ11を溶融してもよい（図４参照）。そして、予めアルミ電線１の一端部の絶縁体３を剥離して露出させた導線端部２ａを、溶融ハンダ11ａに接触するように挿入孔９内に挿入する（図５参照）。この時、導線端部２ａの先端Ｚを挿入孔９の底部12近傍まで挿入するに伴い、注入されていた溶融ハンダ11ａは挿入孔９の底部12から開口部近傍まで充填されたようになる。そして、導線端部２ａが挿入孔９の内周面部13及び底部12に当接しないように、導線端部２ａと端子４を溶融ハンダ11ａが冷却され固化するまで保持（固定）する。溶融ハンダ11ａが固まったら、図６の矢印Ｐ方向に、挿入孔９の開口部14付近で、スリーブ部８の外面からプレス機等により縮径塑性加工する（かしめ加工する）。この時、縮径塑性加工にて形成されたかしめ凸部16が固化したハンダ11ｂに圧着し、そのハンダ11ｂが導線端部２ａに圧着される。
【００２０】
また、本発明のアルミ電線の接続方法は設計変更自由であり、挿入孔９に導線端部２ａを挿入し、挿入孔９内の溶融ハンダ11ａを冷却固化する前に、挿入孔９の開口部14付近で端子４を縮径塑性加工し、その後ハンダ11ａを冷却固化するようにしてもよい。この時、かしめ凸部16は導線端部２ａに当接しているが、かしめ凸部16と多数本束ねられた導線２との間の僅かな隙間には、溶融ハンダ11ａが入り込んでその後固化する。即ち、かしめ凸部16と導線端部２ａは部分的に当接（直接圧着）し、その当接部分以外の部分ではハンダ11を介して接続（固着）されている。
【００２１】
次に、38ＳＱのアルミ電線１と端子４を用いて、下記（イ)(ロ)(ハ）の３種類の接続方法（接続構造）にて導線２と端子４とを接続し、それぞれの接続方法での初期及び過熱後の電圧降下値と端子固着力（接続強度）を測定する試験を行った。
（イ）従来例１：導線２と端子４とを圧着部５にてかしめ加工して接続する（圧着の        み）。
（ロ）従来例２：導線２と端子４とを導通接続部６にてハンダ付けして接続する（ハ        ンダ埋めのみ）。
（ハ）本発明実施例：導線２と端子４とを、導通接続部６にてハンダ付けして接続し        、さらに、圧着部５にてかしめ加工して接続する（ハンダ埋め＋圧着，図３参照        ）。
そして、具体的には、（イ)(ロ)(ハ）それぞれの場合の接続方法で接続した時（初期）の電圧降下値と、その後 120℃で500 時間過熱した後の電圧降下値を測定した。
また、端子固着力（接続強度）を測定するために、（イ)(ロ)(ハ）それぞれの場合に於て、導線２に引張力を徐々に強く与えていき、導線２と端子４が破断等して分離するまでの引張力と破断状況（破断の仕方）を測定した。
なお、（イ)(ロ)(ハ）それぞれの導線２はハンダで覆い、端子４はアルミニウム合金（Ａ６０６３−Ｏ）製で表面にＳｎメッキを施している。
それぞれの試験結果を下記の表１及び表２に示す。
【００２２】
【表１】
2006179369.tif 000003
【００２３】
【表２】
2006179369.tif 000004
【００２４】
表１について説明すると、（イ）の初期の電圧降下値0.19に対して、（ロ）と（ハ）の初期の電圧降下値はそれぞれ0.04と0.05であり、（ロ）と（ハ）の値は（イ）の値に比べて約４分の１であった。さらに、（イ）の過熱後の電圧降下値は0.27と40％以上上昇していたのに対し、（ロ）と（ハ）の過熱後の電圧降下値は0.05と0.06であり、（ロ）と（ハ）は過熱後もそれぞれの初期の値とほとんど変化がなかった。このことから、ハンダ埋め（ハンダ付け）をした接続部を有する（ロ）と（ハ）の場合の方が、圧着による接続部のみ有する（イ）の場合よりも、初期の状態で電圧降下値が低く（導通し易く）、過熱後も（ロ）と（ハ）の場合は電圧降下値（導通性）を維持していることが確認できた。
【００２５】
表２について説明すると、（イ）と（ロ）の場合はそれぞれ引張力（端子固着力）が2900Ｎと3000Ｎに達した時点で導線２は端子４から引き抜かれ、（ハ）の場合は、引張力（端子固着力）が3200Ｎに達した時点で導線２が圧着部５より手前側（引張力を付与する側）で破断した。このことから、（ハ）の場合は、導線２が破断するまで端子４から引き抜かれることはなく、（ハ）の場合、端子固着力は（イ）と（ロ）の場合に比べ著しく大きくなることが確認できた。
なお、（ハ）の場合の端子固着力は表２では3200Ｎとなっているが、導線２が破断したことから測定限界値が3200Ｎであり、実際は3200Ｎ以上の値となる。
【００２６】
さらに、表１と表２から、ハンダ埋めしかつ圧着した（ハ）は、導通性（電圧降下値）及び接続強度（端子固着力）のどちらの点に於ても優れた値を示し、圧着部５での接続と導通接続部６での接続を併用したことで、導線２と端子４の機械（強度）的接続と電気的接続を十分に確保し、さらに、高温の環境下でもその電気的接続を維持できることが確認できた。
【００２７】
以上のように、本発明であるアルミ電線の接続方法は、アルミニウム製又はアルミニウム合金製の多数本の導線２を絶縁体３で被覆して成るアルミ電線１の一端部にて絶縁体３を剥離して露出させた導線端部２ａに端子４をかしめ加工にて接続するアルミ電線の接続方法に於て、端子４の有底孔状の挿入孔９内に溶融したハンダ11を注入し、又は、挿入孔９内でハンダ11を溶融し、次に、挿入孔９の少なくとも底部12近傍にて溶融したハンダ11に接触するように挿入孔９内に導線端部２ａを挿入し、端子４をかしめ加工して導線端部２ａを圧着保持するので、端子４と導線端部２ａの電気的接続と機械（強度）的接続を十分に確保できる。
言い換えれば、端子４と導線端部２ａは、かしめ加工とハンダ付けを併用して接続されるので、接続強度を向上させると共に導通性を長期間維持できる。
また、特に、端子４と導線端部２ａを、端子４をかしめ加工する位置にて機械的に強固に接続でき、ハンダ付けする位置にて導線端部２ａの酸化皮膜の形成を防止して（接触抵抗を低減して）十分に導通性を確保して接続できる。
さらに、高温環境下で使用されてもその導通性を長期間維持できる。
【００２８】
また、端子４のかしめ加工する位置を、端子４の挿入孔９の開口部14近傍としたので、端子４と導線端部２ａとを安定して接続できると共に、その接続強度（機械的強度）をさらに向上させることができる。
【００２９】
また、端子４がアルミニウム合金製であるので、端子４と導線端部２ａ間の導通性を十分に確保しながら、端子４の軽量化を量ることができる。
【００３０】
また、アルミ電線１が自動車のバッテリーケーブルに使用されているので、車体の軽量化を図れると共にバッテリーと他の電気機器間の導通性を十分かつ長期間維持できる。
【００３１】
また、本発明であるアルミ電線の接続構造は、アルミニウム製又はアルミニウム合金製の多数本の導線２を絶縁体３で被覆して成るアルミ電線１の一端部を剥離して露出させた導線端部２ａと、端子４とを、接続するアルミ電線の接続構造に於て、端子４と導線端部２ａが導線端部２ａの少なくとも先端Ｚ近傍にてハンダ付けされて導通接続されていると共に、導線端部２ａの先端Ｚ近傍より基端側に端子４をかしめ加工して接続されているので、端子４と導線端部２ａの電気的接続と機械（強度）的接続を十分に確保できる。
言い換えれば、端子４と導線端部２ａは、かしめ加工とハンダ付けを併用して接続されるので、接続強度を向上させると共に導通性を長期間維持できる。
また、特に、端子４と導線端部２ａを、端子４をかしめ加工する位置にて機械的に強固に接続でき、ハンダ付けする位置にて導線端部２ａの酸化皮膜の形成を防止して（接触抵抗を低減して）十分に導通性を確保して接続できる。
さらに、高温環境下で使用されてもその導通性を長期間維持できる。
【００３２】
また、アルミニウム製又はアルミニウム合金製の多数本の導線２を絶縁体３で被覆して成るアルミ電線１の一端部を剥離して露出させた導線端部２ａと、端子４とを、接続するアルミ電線の接続構造に於て、端子４は有底孔状の挿入孔９を有し、挿入孔９内に導線端部２ａが挿入され、端子４と導線端部２ａは、挿入孔９の少なくとも底部12近傍にてハンダ11を介して導通接続されていると共に、挿入孔９の底部12近傍より開口部14側にて端子４をその外面からかしめ加工して接続されているので、端子４と導線端部２ａの電気的接続と機械（強度）的接続を十分に確保できる。
言い換えれば、端子４と導線端部２ａは、かしめ加工とハンダ付けを併用して接続されるので、接続強度を向上させると共に導通性を長期間維持できる。
また、特に、端子４と導線端部２ａを、端子４をかしめ加工する位置にて機械的に強固に接続でき、ハンダ付けする位置にて導線端部２ａの酸化皮膜の形成を防止して（接触抵抗を低減して）十分に導通性を確保して接続できる。
さらに、高温環境下で使用されてもその導通性を長期間維持できる。
また、挿入孔９内でハンダ付けされているので、外部からの衝撃等でハンダ11が割れたりしにくく、（特に導通接続部６での）耐衝撃性が向上する。
【図面の簡単な説明】
【００３３】
【図１】本発明の第１の実施の形態を示す側面図である。
【図２】平面図である。
【図３】断面側面図である。
【図４】説明用断面側面図である。
【図５】説明用断面側面図である。
【図６】説明用断面側面図である。
【図７】第２の実施の形態を示す断面側面図である。
【符号の説明】
【００３４】
１  アルミ電線
２  導線
２ａ  導線端部
３  絶縁体
４  端子
９  挿入孔
11  ハンダ
12  底部
14  開口部
Ｚ  先端
【図１】
2006179369.tif 000005
【図２】
2006179369.tif 000006
【図３】
2006179369.tif 000007
【図４】
2006179369.tif 000008
【図５】
2006179369.tif 000009
【図６】
2006179369.tif 000010
【図７】
2006179369.tif 000011